(57)【要約】【課題】洗浄の頻度を抑えつつ、汚れの無い部分で化粧を塗布可能な化粧用パフを提供すること。【解決手段】化粧用パフ１は、Ｔ軸方向からの平面視で実質的に重なり合う外形線Ｌ２，Ｌ３を有する第一主面２および第二主面３と、第一主面２および第二主面３を繋ぐ側面４と、を備えている。外形線Ｌ２，Ｌ３は、対応する外形線Ｌ２，Ｌ３の内部の所定点Ｇ２，Ｇ３を基準として異なる方位に存在しかつ略同一形状の複数の曲線部分Ｃ１〜Ｃ６，Ｃ７〜Ｃ１２であって、所定点Ｇ２，Ｇ３から見て外方向に突出する複数の曲線部分Ｃ１〜Ｃ６，Ｃ７〜Ｃ１２を含んでいる。各曲線部分Ｃ１〜Ｃ６，Ｃ７〜Ｃ１２よりも所定点Ｇ２，Ｇ３寄りの領域Ａ１〜Ａ６，Ａ７〜Ａ１２は、個々に、化粧料の塗布に利用可能となっている。【選択図】図１
2015058170.tif 000002
【特許請求の範囲】
【請求項１】
所定方向からの平面視で実質的に重なり合う外形線を有する第一主面および第二主面と、
前記第一主面および前記第二主面を繋ぐ側面と、を備え、
各前記外形線は、対応する前記第一主面または前記第二主面の内部の所定点を基準として異なる方位に存在しかつ略同一形状の複数の曲線部分であって、前記所定点から見て外方向に突出する複数の曲線部分を含み、
各前記曲線部分よりも前記所定点寄りの領域は、個々に、化粧料の塗布に利用可能となっている、化粧用パフ。
【請求項２】
各前記所定点は、対応する前記第一主面または前記第二主面の重心となっており、複数の曲線部分のそれぞれは、前記重心を中心として別の曲線部分を回転移動した形状を有する、請求項１に記載の化粧用パフ。
【請求項３】
前記第一主面、前記第二主面および前記側面のみからなる、請求項１または２に記載の化粧用パフ。
【請求項４】
各前記外形線は、前記複数の曲線部分として、四個以上の曲線部分を有する、請求項１〜３のいずれかに記載の化粧用パフ。
【請求項５】
各前記領域は、個々に、ファンデーションまたはチークの塗布に利用可能となっている、請求項１〜４のいずれかに記載の化粧用パフ。
【発明の詳細な説明】
【技術分野】
【０００１】
本発明は、化粧料を顔に塗布する際に使用される化粧用パフに関する。
【背景技術】
【０００２】
従来の化粧用パフとしては、一般的に、丸型パフや角型パフがある。化粧用パフは使用時にユーザの肌に直接触れるため、化粧用パフには皮脂や汗が付着してしまう。よって、ユーザは化粧用パフをこまめに洗浄した方がよいと言われている。具体的には、少なくとも週一回の頻度で洗浄することが望ましいという意見もある。
【発明の概要】
【発明が解決しようとする課題】
【０００３】
しかしながら、化粧用パフの洗浄は煩わしいため、ユーザは洗浄回数を極力少なくしたいと考えられる。
【０００４】
それゆえに、本発明の目的は、洗浄頻度を抑えつつ、汚れの無い部分で化粧を塗布可能な化粧用パフを提供することである。
【課題を解決するための手段】
【０００５】
上記目的を達成するために、本発明の一局面は、化粧用パフであって、所定方向からの平面視で実質的に重なり合う外形線を有する第一主面および第二主面と、前記第一主面および前記第二主面を繋ぐ側面と、を備えている。
【０００６】
ここで、各前記外形線は、対応する前記第一主面または前記第二主面の内部の所定点を基準として異なる方位に存在しかつ略同一形状の複数の曲線部分であって、前記所定点から見て外方向に突出する複数の曲線部分を含んでいる。
【０００７】
また、各前記曲線部分よりも前記所定点寄りの領域は個々に、化粧料の塗布に利用可能となっている。
【発明の効果】
【０００８】
上記局面によれば、ユーザによる洗浄の頻度を抑えつつ、汚れの無い部分で化粧を塗布可能な化粧用パフを提供することが可能となる。
【図面の簡単な説明】
【０００９】
【図１】化粧用パフの斜視図である。
【図２】図１の化粧用パフの外形線を示す図である。
【図３】図１の化粧用パフにおいて化粧料の塗布時に使用される領域を示す図である。
【発明を実施するための形態】
【００１０】
《実施形態》
以下、図面を参照して、本発明の一実施形態に係る化粧用パフ（以下、単にパフという）１を詳説するが、それに先立ち、図１〜図３に示すＬ軸、Ｗ軸、Ｔ軸を定義する。Ｌ軸、Ｗ軸およびＴ軸は互いに直交する。また、Ｌ軸はパフ１の左右方向（横方向）を、Ｗ軸はパフ１の前後方向（縦方向）を示す。さらに、Ｔ軸は、パフ１の上下方向（厚さ方向）、および、第一主面２および第二主面３の法線方向を示す。
【００１１】
《化粧用パフの構成》
図１〜図３において、パフ１は、例えばファンデーションまたはチーク等の化粧料を顔等に塗布する際に使用される。また、パフ１は、スポンジ状の用具、あるいは表面が毛羽立った用具であって、その素材としては、弾性変形可能な天然素材や合成素材がある。天然素材としては、海綿、こんにゃくまたは天然ラテックス等が例示される。また、合成素材としては、ウレタン（特殊ウレタンまたは湿式ウレタン等）、ラテックス、ＰＶＡ（Ｐｏｌｙｖｉｎｙｌ Ａｌｃｏｈｏｌ）またはＮＢＲ（アクロニトリルブタジエンラバー）等が例示される。また、将来開発される素材がパフ１の素材として用いられても構わない。このように、様々な素材がパフ１には採用可能であるが、本実施形態では、合成素材の一例であるウレタンスポンジが採用される。ウレタンスポンジは、完全無黄変・無変色、防カビ・防菌性、無臭、高耐久性、心地よい感触等、多くの優れた特性を持つからである。以下、パフ１の具体的な構成や形状について説明する。
【００１２】
図１〜図３において、パフ１は、第一主面２と、第二主面３と、側面４と、から構成される立体的な形状を有する。
【００１３】
主面２，３は、化粧料の塗布に適した大きさや形状を有するフラットな面であって、Ｔ軸方向に略平行に対向している。なお、主面２，３は、緩やかに湾曲しかつＴ軸方向に相対向する曲面であっても構わない。
【００１４】
また、主面２，３は、Ｔ軸方向からの平面視で実質的に重なり合う外形線Ｌ２，Ｌ３を有している。各外形線Ｌ２，Ｌ３のそれぞれについて、Ｌ軸方向およびＷ軸方向の長さはそれぞれ、約６〜８ｃｍ（最大値）である。本実施形態では、各外形線Ｌ２，Ｌ３は、例示的に、六枚の花弁からなる花を模した形状を有する。なお、Ｌ軸方向およびＷ軸方向の長さに関しては、上記に限定されず、適宜適切な値にされる。
【００１５】
外形線Ｌ２は、図２や図３上段に示すように、主面２の重心Ｇ２を基準として異なる方位に存在する複数の曲線部分Ｃ１〜Ｃ６であって、略同一形状の複数の曲線部分Ｃ１〜Ｃ６を直列に接続した閉曲線である。具体的には、曲線部分Ｃ１は、始点Ｐ１と終点Ｐ２とを、中間点であって折れ曲がり点でもある点Ｖ１を経由して結ぶ連続な（つまり、微分可能な）曲線であって、Ｗ軸の負方向に凸となっている。換言すると、曲線部分Ｃ１は、重心Ｇ２を基準として外方向に突出している。また、曲線部分Ｃ１は、好ましくは、重心Ｇ２と点Ｖ１とを結ぶ線を基準にして対称な形状を有する。また、曲線部分Ｃ２は、重心Ｇ２を中心として、曲線部分Ｃ１を６０°だけ回転移動したものである。同様に、曲線部分Ｃ３〜Ｃ６は、重心Ｇ２を中心として、曲線部分Ｃ２〜Ｃ５を６０°だけ回転移動したものである。
【００１６】
外形線Ｌ３は、図３の下段に示すように、主面３の重心Ｇ３を基準として異なる方位に存在する複数の曲線部分Ｃ７〜Ｃ１２であって、略同一形状の複数の曲線部分Ｃ７〜Ｃ１２を直列に接続した閉曲線である。曲線部分Ｃ７〜Ｃ１２は、曲線部分Ｃ１〜Ｃ６をＴ軸方向に所定距離だけ平行移動したものである。ここで、所定距離は、側面４のＴ軸方向への長さに相当する。
【００１７】
なお、図２や図３には、曲線部分Ｃ１〜Ｃ６の始点または終点として、上記点Ｐ１，Ｐ２以外にも点Ｐ３〜Ｐ６が仮想的な点・にて示されている。同様に、重心Ｇ２，Ｇ３や点Ｖ１も仮想的な点・にて示されている。
【００１８】
側面４は、第一主面２および第二主面３を繋いでいる。本実施形態では、例示的に、側面４は、Ｔ軸に略平行な曲面であって、Ｔ軸方向からの平面視で、外形線Ｌ２，Ｌ３と実質的に重なり合っている。また、側面４は、Ｔ軸方向に例えば１ｃｍ程度の長さを有する。
【００１９】
《化粧用パフの使用方法》
以上の構成のパフ１において、主面２，３は、領域Ａ１〜Ａ６，Ａ７〜Ａ１２に区分けされる。領域Ａ１は、図３中に斜線を仮想的に付けて示すように、曲線部分Ｃ１よりも重心Ｇ２寄りの突出した領域である。この領域Ａ１は、人差し指および／または中指の先端が収まる程度の面積となっていることが好ましい。同様に、領域Ａ２〜Ａ６は、曲線部分Ｃ２〜Ｃ６よりも重心Ｇ２寄りの突出した領域である。領域Ａ７〜Ａ１２は、曲線部分Ｃ７〜Ｃ１２よりも重心Ｇ３寄りの突出した領域である。化粧時、領域Ａ１〜Ａ１２は、個々に使用される。具体的な使用方法を挙げると、ユーザは、第一日目には、第一主面２側の領域Ａ１にファンデーション等を付着させた後、領域Ａ１に付着したファンデーション等を顔に塗布する。ユーザは、第二日目には、別領域（例えば、領域Ａ２）を用いて化粧する。ユーザは、第三日目以降、領域Ａ３〜Ａ１２において互いに異なる領域を用いる。
【００２０】
また、パフ１をチーク塗布用とする場合、下記のような使用方法も想定される。すなわち、従来のパウダーチークに関しては、多くの場合、塗布用のブラシが付属していた。しかし、近年、ジェルチーク、クリームチーク、リキッドチーク等、様々なチークが製造および販売されている。これら最近のチークはチューブ状の容器に入っており、塗布用の器具が付属していない場合もある。このような多様なチークの塗布に、パフ１は好適である。つまり、領域Ａ１〜Ａ１２毎で異なる種類のチークを付けて、顔に塗布することが可能となる。
【００２１】
《化粧用パフの効果》
以上説明したように、パフ１によれば、ユーザは、複数の領域Ａ１〜Ａ１２を個別的に用いて化粧をすることが可能となる。各領域Ａ１〜Ａ１２は、パフ１の外側に向けて突出し離れているため、ある領域に化粧料が付着しても、この化粧料が別の領域に拡散し難く構成されている。この構成により、ユーザは、領域数に相当する回数分（本実施形態では、十二回）、汚れの無い領域で化粧をすることが可能となるし、さらには、パフ１を洗浄する頻度を抑えることも可能となる。
【００２２】
また、本実施形態では、曲線部分Ｃ２〜Ｃ６は、重心Ｇ２を基準として、曲線部分Ｃ１〜Ｃ５を回転移動したものである。よって、曲線部分Ｃ１〜Ｃ６は互いに異なる方位に設けられてはいるが、互いに同一形状を有している。この点は曲線部分Ｃ７〜Ｃ１２についても同様に当てはまる。したがって、ユーザは、領域Ａ１〜Ａ１２の異なる領域を使う場合であっても、同じ使用感で化粧を行うことが可能となる。
【００２３】
また、本実施形態では、パフ１は、第一主面２、第二主面３および側面４のみからなる。換言すると、主面２，３に余計な構成（例えば、指を通すバンド）が設けられていない。したがって、ユーザは、領域Ａ１〜Ａ１２のいずれを使用する場合にも、化粧を阻害されることなく同じ使用感で化粧を行うことが可能となる。
【００２４】
また、本実施形態では、領域Ａ１〜Ａ１２というように、領域の総数を八以上とすることで、一週間連続で、パフ１を洗浄することなく、汚れの無い部分で化粧をすることが可能となっている。
【００２５】
また、他にも、上記の通り、ユーザは、互いに異なる領域Ａ１〜Ａ１２を個別的に用いることにより、汚れの無い領域で、複数種類のチークまたは複数色のチークを塗布することが可能となるし、さらには、パフ１を洗浄する頻度を抑えることも可能となる。
【産業上の利用可能性】
【００２６】
本発明に係る化粧用パフは、洗浄の頻度を抑えつつ、汚れの無い部分で化粧料を塗布可能となっており、ファンデーション等の顔に塗布する際に有用である。
【符号の説明】
【００２７】
１  化粧用パフ
２  第一主面
３  第二主面
４  側面
Ｌ２，Ｌ３  外形線
Ｇ２，Ｇ３  重心
Ｃ１〜Ｃ１２  曲線部分
Ａ１〜Ａ１２  領域
【図１】
2015058170.tif 000003
【図２】
2015058170.tif 000004
【図３】
2015058170.tif 000005
【手続補正書】
【提出日】平成26年10月2日(2014.10.2)
【手続補正１】
【補正対象書類名】明細書
【補正対象項目名】０００５
【補正方法】変更
【補正の内容】
【０００５】
上記目的を達成するために、本発明の一局面は、化粧用パフであって、所定方向からの平面視で実質的に重なり合う外形線を有する第一主面および第二主面と、前記第一主面および前記第二主面を繋ぐ側面と、を備え、各前記外形線は、対応する前記第一主面または前記第二主面の内部の所定点を基準として異なる方位に存在しかつ略同一形状の複数の曲線部分であって、前記所定点から見て外方向に突出する複数の曲線部分を含み、各前記曲線部分よりも前記所定点寄りの塗布領域は、個々に、化粧料の塗布に利用可能となっており、各前記所定点は、対応する前記第一主面または前記第二主面の重心となっており、複数の曲線部分の全ては、前記重心を中心として別の曲線部分を回転移動した形状を有する。
【手続補正２】
【補正対象書類名】明細書
【補正対象項目名】０００６
【補正方法】変更
【補正の内容】
【０００６】
また、本発明の他の局面は、化粧用パフであって、所定方向からの平面視で実質的に重なり合う外形線を有する第一主面および第二主面と、前記第一主面および前記第二主面を繋ぐ側面と、を備え、各前記外形線は、対応する前記第一主面または前記第二主面の内部の所定点を基準として異なる方位に存在しかつ略同一形状の複数の曲線部分であって、前記所定点から見て外方向に突出する複数の曲線部分を含み、各前記曲線部分よりも前記所定点寄りの塗布領域は、個々に、化粧料の塗布に利用可能となっており、各前記塗布領域は、少なくとも一つの指先が収まる程度の面積を有する。
【手続補正３】
【補正対象書類名】明細書
【補正対象項目名】０００７
【補正方法】削除
【補正の内容】
【手続補正４】
【補正対象書類名】特許請求の範囲
【補正対象項目名】全文
【補正方法】変更
【補正の内容】
【特許請求の範囲】
【請求項１】
所定方向からの平面視で実質的に重なり合う外形線を有する第一主面および第二主面と、
前記第一主面および前記第二主面を繋ぐ側面と、を備え、
各前記外形線は、対応する前記第一主面または前記第二主面の内部の所定点を基準として異なる方位に存在しかつ略同一形状の複数の曲線部分であって、前記所定点から見て外方向に突出する複数の曲線部分を含み、
各前記曲線部分よりも前記所定点寄りの塗布領域は、個々に、化粧料の塗布に利用可能となっており、
各前記所定点は、対応する前記第一主面または前記第二主面の重心となっており、複数の曲線部分の全ては、前記重心を中心として別の曲線部分を回転移動した形状を有する、化粧用パフ。
【請求項２】
所定方向からの平面視で実質的に重なり合う外形線を有する第一主面および第二主面と、
前記第一主面および前記第二主面を繋ぐ側面と、を備え、
各前記外形線は、対応する前記第一主面または前記第二主面の内部の所定点を基準として異なる方位に存在しかつ略同一形状の複数の曲線部分であって、前記所定点から見て外方向に突出する複数の曲線部分を含み、
各前記曲線部分よりも前記所定点寄りの塗布領域は、個々に、化粧料の塗布に利用可能となっており、
各前記塗布領域は、少なくとも一つの指先が収まる程度の面積を有する、化粧用パフ。
【請求項３】
前記第一主面、前記第二主面および前記側面のみからなる、請求項１または２に記載の化粧用パフ。
【請求項４】
各前記外形線は、前記複数の曲線部分として、四個以上の曲線部分を有する、請求項１〜３のいずれかに記載の化粧用パフ。
【請求項５】
各前記領域は、個々に、ファンデーションまたはチークの塗布に利用可能となっている、請求項１〜４のいずれかに記載の化粧用パフ。